(57)【要約】【課題】シートベルトの前後および左右の動きを規制することができるシートベルトのガイド構造を提供する。【解決手段】シートバック２内にシートベルトのリトラクタ１２を取付け、シートバック２の上端部にシートベルト５のベルトガイドを配設し、シートバック２内からシートベルト５を取り出すベルトガイド部１３にベルト取出し口６が形成されたベルトガイドカバー１１を装着したシートベルトのベルト取出口構造において、ベルトガイド部１３を、シートベルト５の前面をガイドする前部ガイド部８ｂと、シートベルトの側部をガイドする側部ガイド部９ｃと、シートベルトの後面をガイドする後部ガイド部９ｂとにより構成し、側部ガイド部９ｃ又は後部ガイド部９ｂにシートベルト５がガイド内へ通り抜けるスリット９ａを形成するとともに、ベルトガイドカバー１１の取付部をベルトガイド部１３に形成した。【選択図】      図４
2005001436.tif 000002
【特許請求の範囲】
【請求項１】
シートバック内にシートベルトのリトラクタを取付け、シートバックの上端部にシートベルトのベルトガイド部を配設し、シートバック内からシートベルトを取り出すベルト取出し口にベルトガイドカバーを装着したシートベルトのガイド構造において、
前記ベルトガイド部を、シートベルトの前面をガイドする前部ガイド部と、シートベルトの側部をガイドする側部ガイド部と、シートベルトの後面をガイドする後部ガイド部とにより構成し、前記側部ガイド部又は後部ガイド部にシートベルトがガイド内へ通り抜けるスリットを形成するとともに、前記ベルトガイドカバーの取付部を前記ベルトガイド部に形成したことを特徴とするシートベルトのガイド構造。
【請求項２】
前記シートバックのアッパフレームに前記ベルトガイドカバーを取付けるブラケットを設け、ブラケットの上面にベルトカバーの前部取付部を形成したことを特徴とする請求項１に記載のシートベルトのガイド構造。
【請求項３】
前記側部ガイド部と後部ガイド部とを断面円形の軸状部材で一体に形成したことを特徴とする請求項１又は請求項２のいずれかに記載のシートベルトのガイド構造。
【請求項４】
前記前部ガイド部を断面円形の軸状部材によってコ字形状に形成し、コ字形状の両端部を下部に向けて、該両端部を前記アッパフレームの後側面に固定するようにしたことを特徴とする請求項２又は３のいずれかに記載のシートベルトのガイド構造。
【発明の詳細な説明】
【０００１】
【発明の属する技術分野】
本発明は、シートバックの内部にリトラクタが配設されるシートベルトのガイド構造に関する。
【０００２】
【従来の技術】
自動車の３人掛けリヤシート（図１参照）では、左右の座席用のシートベルトが、リアピラー等に取付けられたリトラクタによってそれぞれ巻き取られるようになっており、中央の座席用のシートベルトは、シートのシートバック内に取付けられたリトラクタによって巻き取られるようになっている（ベルトインシート。詳しくは、特許文献１参照）。
【０００３】
図８に示すように、シートバック５２には、中央座席用のシートベルトの取出し開口５１がシートバック５２の上部に、その開口５１が上側を向くように設けられている。この取出し開口５１には、板材や軸状の鋼材で形成されるベルトガイド５３が設けられている。ベルトガイド５３は、シートバック５２に設けられたパイプ状のアッパフレーム５４に取付けられている。
また、ベルトガイド５３は、アッパフレーム５４の替わりに、板状のシートバックフレームに取付金具を介して取付ける方法がある（例えば、特許文献２参照）。
【０００４】
シートベルト５５の取出し開口５１には、シートベルトカバー５６が装着されている。このシートベルトカバー５６には、シートバック５２の表皮５７の開口縁部に設けられた取付部材５８を挟む挟持部５９が形成されており、シートベルトカバー５６がシートバック５２に固定されるようになっている。
【０００５】
図９に示すように、ベルトガイド５３とアッパフレーム５４は、シートベルト５５が挿通するシートベルト挿通孔６１を形成している。シートベルト５５は、この挿通孔６１に挿通され、左右の位置が規制されている。リトラクタ６２から取出されたシートベルト５５は、この挿通孔６１に挿通されることにより取出し開口５１の方向へガイドされるようになっている。
【０００６】
【特許文献１】
特開平１０−２５０４３０号公報
【特許文献２】
特開２００１−９７０９５号公報
【０００７】
【発明が解決しようとする課題】
しかしながら、シートベルト５５をシートベルト挿通孔６１に挿通させるには、シートベルト５５に取付けられているタング６０も同時に挿通させる必要がある。タング６０は、図９に示すように、シートベルト５５よりも幅が広くなっているため、タング６０をシートベルト挿通穴６１に通すには、ベルトガイド５３の幅方向の寸法をシートベルト５５の幅方向の寸法よりも大きくしなければならない。そのため、シートベルト５５は、幅方向に寸法を大きくした分だけベルトガイド５３の内側の幅（左右）方向に自由に移動できることとなり、ベルトガイド５３が十分にシートベルト５５の動きを規制することができないという問題があった。
【０００８】
本発明はこのような実情に鑑みてなされたものであって、その目的は、シートベルトの前後および左右の動きを規制することができ、さらに構造を簡素化したシートベルトのガイド構造を提供することにある。
【０００９】
【課題を解決するための手段】
上記従来技術の有する課題を解決するために、本発明は、シートバック内にシートベルトのリトラクタを取付け、シートバックの上端部にシートベルトのベルトガイド部を配設し、シートバック内からシートベルトを取り出すベルト取出し口にベルトガイドカバーを装着したシートベルトのガイド構造において、前記ベルトガイド部を、シートベルトの前面をガイドする前部ガイド部と、シートベルトの側部をガイドする側部ガイド部と、シートベルトの後面をガイドする後部ガイド部とにより構成し、前記側部ガイド部又は後部ガイド部にシートベルトがガイド内へ通りぬけるスリットを形成するとともに、前記ベルトガイドカバーの取付部を前記ベルトガイド部に形成している。
【００１０】
前記シートバックのアッパフレームに前記ベルトガイドカバーを取付けるブラケットを設け、ブラケットの上面にベルトカバーの前部取付部を形成している。
また、前記側部ガイド部と後部ガイド部とを断面円形の軸状部材で一体に形成することもできる。
さらに、前記前部ガイド部を断面円形の軸状部材によってコ字形状に形成し、コ字形状の両端部を下部に向けて、該両端部を前記アッパフレームの後側面に固定している。
【００１１】
【発明の実施の形態】
以下、本発明に係る実施の形態について、図１〜図７を用いて詳細に説明する。
３人掛けのリヤシート１は左右に不等分割されていて、ここでは６：４に分割されたリヤシートの６分割側のシートバック２について説明する。このシートバック２には、中央座席の乗員が着用するためのシートベルト５が設けられており、このシートベルト５は、シートバック２の上部に設けられた取出し口６から上方に引き出せるようになっている。
【００１２】
シートバック２の内部には、図２に示すように、シートバック２のほぼ全面に亘ってシートバックフレーム３が設けられている。シートバックフレーム３には、シートベルト５を巻き取るためのリトラクタ１２や、断面四角形状に形成されたアッパフレーム４などが取付けられている。
アッパフレーム４は、シートバックフレーム３の上端部に取付けられており、このアッパフレーム４は、シートバック２の幅方向に沿って設けられている。アッパフレーム４の幅方向の中央部には、図４に示すように、シートベルトカバーブラケット（ブラケット）７と、ベルトガイドバー８と、ベルトガイドワイヤ（ベルトガイド）９が設けられ、これらを覆うシートベルトカバー１１が取付けられて、シートベルト５の取出し口６が設けられている。
【００１３】
ベルトガイドバー８は、断面が円形の軸状部材を上下方向に延びる２つの両端部８ａと該２つの両端部８ａの上端部をつないでいる水平部（前部ガイド部）８ｂを備えたコ字形状に折り曲げられて一体に形成されており、該コ字形状の開口側が下側を向くように配設されている。２つの両端部８ａの下部は、アッパフレーム４の後端面４ａにそれぞれ溶接で固定されている。水平部８ｂは、アッパフレーム４の上面４ｂより上方に位置し、上面４ｂと略平行になるように取付けられている。水平部８ｂの外周面は、シートベルト５がその周面上を滑らかに摺動することができるように緩やかな円周面をなしている。
【００１４】
シートベルトカバーブラケット７は、平板を上下方向に延びる２つの側面７ｃと該２つの側面７ｃの上端をつないでいる上面７ｄを備えるように断面略コ字形状に折り曲げて一体に形成されており、そのコ字形状の開口面側が下側に向くように配設されている。２つの側面７ｃは、それぞれの面が車両幅方向に向くように配設されている。シートベルトカバーブラケット７は、側面７ｃの下端部７ｅがアッパフレーム４の上面４ｂの上に載置されるとともに、側面７ｃの後端部７ａをベルトガイドバー８の両端部８ａと当接させた状態で、下端部７ｅと後端部７ａをそれぞれ溶接して固定されている。上面７ｄは、水平部８ｂと略平行に設けられており、上面７ｄの上下方向の位置は、水平部８ｂより少し下側に設けられている。なお、上面７ｄには、後述するシートベルトカバー１１を取付けるための取付孔７ｂが設けられている。
【００１５】
ベルトガイドワイヤ９は、断面が円形の強固な軸状部材を略長方形形状に折り曲げて一体に形成されている。ベルトガイドワイヤ９の軸状部材の直径は、ベルトガイドバー８の直径よりも小さいものが使用されている。ベルトガイドワイヤ９は、車両幅方向に延びるように設けられベルトガイドバー８の水平部８ｂの下側に溶接固定された水平取付部９ｄ（図５参照）と、水平取付部９ｄの両端から車両後側方向にそれぞれ延びるように設けられた２本の側部ガイド部９ｃ（図４参照）と、水平取付部９ｄと対向して平行に設けられ両側部の２本の側部ガイド部９ｃの後端に後部ガイド部９ｂをそれぞれ備えており、該後部ガイド部９ｂの幅方向中間部には、ベルトガイドワイヤ９の前記略長方形形状の内部にシートベルト５を入れるためのスリット９ａが形成されている。後部ガイド部９ｂの上下方向の位置は、水平取付部９ｄより斜め後方上側に突出させており、シートベルトカバーブラケット７の上面７ｄと後部ガイド部９ｂとほぼ同じ高さ位置になるように配置されている。
【００１６】
スリット９ａは、シートベルト５の厚さ部分を通り抜けさせることができる程度の幅に設定されている。ベルトガイドワイヤ９の車両幅方向の内幅（対向する側部ガイド部９ｃの間隔）は、シートベルト５の幅とほぼ同じか、それよりもやや大きく形成されており、ベルトガイドバー８の内幅よりも小さくなるように設けられている。また、ベルトガイドワイヤ９の車両幅方向の前記内幅は、シートベルト５は通すが、シートベルト５のタング１０（図２または図３参照）は通り抜けることができない大きさに形成されている。このベルトガイドワイヤ９の内部にシートベルト５を通すことにより、シートベルト５の前後左右（特に左右の幅方向）の位置を規制することができるようになっている。
【００１７】
上述の構成により、本発明の実施形態では、ベルトガイド部１３が、シートベルト５の前面をガイドする前部ガイド部８ｂと、シートベルトの側部をガイドする側部ガイド部９ｃと、シートベルトベルトの後面をガイドする後部ガイド部９ｂとにより構成されることとなる。
【００１８】
シートベルト５の取出し口６が形成されたシートベルトカバー１１は、図５に示すように、シートベルト５のベルトガイド部１３を被うように取付けられている。シートベルトカバー１１の裏面には、図６および図７に示すように、前端側に配置した２つの係止爪１１ａと後端側に配置した２つの軸受け１１ｂが設けられている。このシートベルトカバー１１は、軸受け１１ｂがベルトガイドワイヤ９の後端側の後部ガイド部（係止軸）９ｂに支持され、係止爪１１ａがシートベルトカバーブラケット７の上面７ｄに設けられた一対の取付孔７ｂに取付けられるようになっている。
【００１９】
係止爪１１ａは、シートベルトカバー１１の本体から下側に延びるように設けられ、係止爪１１ａの下側の先端部には、係止用の弾性部が設けられている。この弾性部は、図７（ｂ）に示すように側面側から見て、前記先端部から上方向に向かって幅方向に広がっていく先部と、該先部の上端からさらに上方向に向かって幅方向に狭くなっていく中間部と、該中間部の上端から再度幅方向に広がっていく係止部が車両前後方向にそれぞれ設けられている。係止爪１１ａは、前記弾性部の先部が取付孔７ｂに挿入されるときに、該先部が取付孔７ｂの孔形状に合わせて係止爪１１ａの中心方向に屈曲するようになっており、さらに係止爪１１ａが取付孔７ｂに完全に挿入されると、前記弾性部の中間部と係止部で取付孔７ｂの縁部を係止するようになっている。取付孔７ｂの縁部には、前記弾性部の先端部が係止部を外側方向へ押し付ける押圧力が作用するようになっている。
【００２０】
軸受け１１ｂは、シートベルトカバー１１の本体から下側に設けられており、この軸受け１１ｂには、後部ガイド部９ｂが取付けられる切欠き部が設けられている。この切欠き部の切欠きは、図７（ｂ）に示すように側面側から見て、軸受け１１ｂの後方下側端部から軸受け１１ｂのほぼ中央部に向かって前方上側に延びるように設けられている。この切欠き部の切欠き幅は、後部ガイド部９ｂの直径の長さと同じか若干狭くなるように形成されている。また、軸受け１１ｂの中央部の切欠きの終端は、後部ガイド部９ｂの外周形状と同じ形状に形成されており、シートベルトカバー１１を後部ガイド部９ｂに取付けた後に、シートベルトカバー１１を後部ガイド部９ｂの位置を支点に旋回させることができるようになっている。
【００２１】
シートベルトカバー１１には、図７（ａ）に示すように、シートベルトカバー１１の先端側から後方に向かってほぼ中央の位置まで形成されている縦スリット１１ｃと、縦スリット１１ｃの後端部にシートベルトカバー１１の中央横方向に形成されている横スリット１１ｄが設けられており、スリット１１ｃ，１１ｄにより平面視でほぼＴ字形状のシートベルト５の取出し口６が形成されている。縦スリット１１ｃは、シートベルト５をその厚さ方向を車両幅方向に向けて通すことができるように形成されている。横スリット１１ｄは、そのスリット長さ（車両幅方向の長さ）が、シートベルト５の幅方向の長さより若干大きく形成されており、横スリット１１ｄの溝の長さ（車両前後方向の長さ）は、シートベルト５の厚さより若干大きく形成されている。
【００２２】
シートベルトカバーブラケット７のシートベルトカバー１１の取付孔７ｂとベルトガイドワイヤ９の後端側の係止軸９ｂは、ほぼ同じ高さ位置となるように設けられているため、シートベルトカバー１１を水平に配置し、ベルトカバー１１の厚みを薄くすることができるようになっている。
【００２３】
次に、本発明の実施の形態に係るシートベルトのガイド構造の組立手順について説明する。
（１）  リトラクタ１２をシートバックフレーム３の内部の取付部に予め取付けておく。（図２参照）
（２）  リトラクタ１２からシートベルト５を抜き出し、アッパフレーム４と図示しないバックパネルの隙間から、シートベルト５及びタング１０をシートバックフレーム３よりも上端部側へ抜き出す。
（３）  リトラクタ１２とタング１０の間のシートベルト５を、ベルトガイドワイヤ９のスリット９ａに通してベルトガイドワイヤ９の上記略長方形形状の内部に入れる。（図６（ａ）参照）
【００２４】
（４）  同様に、ベルトガイドワイヤ９とタング１０の間のシートベルト５を、シートベルトカバー１１の縦スリット１１ｃに通して横スリット１１ｄ内に配置する。（図６（ｂ）参照）
（５）  シートベルトカバー１１の軸受け１１ｂをベルトガイドワイヤ９の係止軸９ｂに取付けた後に、シートベルトカバー１１を後部ガイド部９ｂの位置を支点に旋回させ、シートベルトカバー１１の前側の係止爪１１ａをシートベルトカバーブラケット７の取付孔７ｂに押し込む（図６（ｂ），（ｃ）参照）。
【００２５】
本発明の実施の形態に係るシートベルトのガイド構造では、側部ガイド部９ｃと前部ガイド部８ｂと後部ガイド部９ｃを設けることにより、シートベルト５の前後左右（特に左右の幅方向）の位置を規制することができる。また、ベルトカバー１１の取付部をベルトガイドワイヤ９に設けることにより、ベルトガイド部１３にベルトをガイドする役割とベルトカバー１１の取付部の役割をもたせることができる。また、ベルトカバー１１の取付孔７ｂを、シートベルトカバーブラケット７の上面７ｄに設けることにより、ベルトカバー１１の厚さを薄くすることができる。さらに、側部ガイド部９ｃと後部ガイド部９ｂとを断面円形の軸状部材で一体に形成することにより、部品点数を削減することができるとともに、加工が容易となる。ベルトガイドバー８を断面円形の軸状部材によってコ字形状に形成し、コ字形状の両端部８ａを下側に向けて、両端部８ａをアッパフレーム４の後側面４ａに固定することにより、ベルトガイド取付部１３の強度を大きくすることができる。
【００２６】
以上、本発明の実施の形態について述べたが、本発明は既述の実施形態に限定されるものではなく、本発明の技術思想に基づいて各種の変形および変更が可能である。例えば、ベルトガイドワイヤ９のスリット９ａは、後部ベルトガイド９ｂの中央部に形成したが、スリットを形成する箇所は、ベルトガイドワイヤ９の側部ガイド部９ｃに設けてもよい。また、ベルトガイドバー８は、軸状部材で形成したが、板材で成形してもよく、その場合はシートベルト５が円滑に摺動できるように形成する。
【００２７】
【発明の効果】
上述の如く、本発明に係るシートベルトのガイド構造は、シートバック内にシートベルトのリトラクタを取付け、シートバックの上端部にシートベルトのベルトガイド部を配設し、シートバック内からシートベルトを取り出すベルト取出し口にベルトガイドカバーを装着したシートベルトのガイド構造において、前記ベルトガイド部を、シートベルトの前面をガイドする前部ガイド部と、シートベルトの側部をガイドする側部ガイド部と、シートベルトの後面をガイドする後部ガイド部とにより構成し、前記側部ガイド部又は後部ガイド部にシートベルトがガイド内へ通り抜けるスリットを形成するとともに、前記ベルトガイドカバーの取付部を前記ベルトガイド部に形成しているので、シートベルト５の前後左右の位置を規制することができる。また、ベルトガイドをベルトガイド部とベルトカバーの取付部の両方に共有することができる。
【００２８】
また、前記シートバックのアッパフレームに前記ベルトガイドカバーを取付けるブラケットを設け、ブラケットの上面にベルトカバーの前部取付部を形成しているので、ベルトガイドカバーの厚さを薄くすることができる。
前記側部ガイド部と後部ガイド部とを断面円形の軸状部材で一体に形成しているので、部品点数を削減することができる。また、本構成とすることにより、加工が容易となる。
【００２９】
さらに、前記前部ガイド部を断面円形の軸状部材によってコ字形状に形成し、コ字形状の両端部を下部に向けて、該両端部を前記アッパフレームの後側面に固定するようにしているので、ベルトガイドの取付部の強度を大きくすることができる。
【図面の簡単な説明】
【図１】本発明の実施の形態に係るシートベルトのガイド構造を備えた３人掛けシートの斜視図である。
【図２】本発明の実施の形態に係るシートベルトのガイド構造を備えたシートバックの内部の斜視図である。
【図３】本発明の実施の形態に係るシートベルトのガイド構造を備えたシートバックを側面から見た断面図である。
【図４】本発明の実施の形態に係るシートベルトのガイド構造のベルトガイド部を示す斜視図である。
【図５】本発明の実施の形態に係るシートベルトのガイド構造を備えたシートバックの側面から見た断面図である。
【図６】本発明の実施の形態に係るシートベルトのガイド構造のシートベルトカバーの取付図であって、（ａ）は取付前、（ｂ）は取付中、（ｃ）は取付後を示す図である。
【図７】本発明の実施の形態に係るシートベルトのガイド構造のシートベルトカバーの単体図であって、（ａ）は上面図、（ｂ）は（ａ）のＡ−Ａ断面図である。
【図８】従来のシートベルトのガイド構造を側面から見た断面図である。
【図９】従来のシートベルトのガイド構造のシートベルトのベルトガイド部の挿入穴の斜視図である。
【符号の説明】
１  リヤシート
２  シートバック
３  シートバックフレーム
４  アッパフレーム
４ａ  後側面
４ｂ  上面
５  シートベルト
６  取出し口
７  シートベルトカバーブラケット（ブラケット）
７ａ  後端部
７ｂ  取付孔
７ｃ  側面
７ｄ  上面
７ｅ  下端部
８  ベルトガイドバー
８ａ  両端部
８ｂ  水平部（前部ガイド部）
９  ベルトガイドワイヤ
９ａ  スリット
９ｂ  後部ガイド部（係止軸）
９ｃ  側部ガイド部
９ｄ  水平取付部
１０  タング
１１  シートベルトカバー
１１ａ  係止爪
１１ｂ  軸受け
１１ｃ  縦スリット
１１ｄ  横スリット
１２  リトラクタ
１３  ベルトガイド部
【図１】
2005001436.tif 000003
【図２】
2005001436.tif 000004
【図３】
2005001436.tif 000005
【図４】
2005001436.tif 000006
【図５】
2005001436.tif 000007
【図６】
2005001436.tif 000008
【図７】
2005001436.tif 000009
【図８】
2005001436.tif 000010
【図９】
2005001436.tif 000011